(57)【要約】      （修正有）【課題】外部機器が貯湯タンクユニットの横方向何れの側に設置されても、外部機器との間の配管長さを短縮できるようにした貯湯タンクユニットを提供する。【解決手段】外装ケーシング３内に、外部機器用接続口３７１〜３７４に連なる接続管３８１〜３８４が外装ケーシング３の横方向一側面から横方向他側面に亘って延在するように配置される。外装ケーシング３の横方向一側と他側とに位置する接続管３８１〜３８４の一端部と他端部とに、外部機器用接続口３７１〜３７４と、接続管３８１〜３８４の端部を閉塞する閉止栓とが交換自在に取付けられる。【選択図】図３
2011226740.tif 000002
【特許請求の範囲】
【請求項１】
貯湯タンクと、貯湯タンクを収納する直方体形状の外装ケーシングとを備える貯湯タンクユニットであって、外装ケーシングの横方向片側の側面に、外装ケーシングの外部に設置する外部機器に連なる外部配管を接続する外部機器用接続口を設けるものにおいて、
外装ケーシング内に、外部機器用接続口に連なる接続管が外装ケーシングの横方向一側面から横方向他側面に亘って延在するように配置され、
外装ケーシングの横方向一側と他側とに位置する接続管の一端部と他端部とに、外部機器用接続口と、接続管の端部を閉塞する閉止栓とが交換自在に取付けられることを特徴とする貯湯タンクユニット。
【請求項２】
前記外部機器用接続口と前記閉止栓は、前記外装ケーシングの横方向各側の側面に取付ける側板を取外すことなく、前記接続管の各端部に取付け自在であることを特徴とする請求項１記載の貯湯タンクユニット。
【発明の詳細な説明】
【技術分野】
【０００１】
本発明は、貯湯タンクと、貯湯タンクを収納する直方体形状の外装ケーシングとを備える貯湯タンクユニットに関する。
【背景技術】
【０００２】
貯湯タンクユニットの外装ケーシングには、貯湯タンクに水を供給する給水用外部配管の接続口や、貯湯タンクからの温水を給湯端末に供給する給湯用外部配管の接続口に加えて、貯湯タンク内の水を加熱する加熱装置や貯湯タンクから出湯される温水を補助的に加熱する補助熱源機等の外部機器に連なる外部配管を接続する外部機器用接続口が設けられている。
【０００３】
ここで、外部機器は、一般的に、貯湯タンクユニットの横方向一側方に設置される。そこで、従来、外装ケーシングの横方向一側面に外部機器用接続口を設けて、外部機器との間の配管長さを短縮できるようにしたものが知られている（例えば、特許文献１参照）。
【０００４】
然し、設置現場の状況によっては、外部機器を貯湯タンクユニットの横方向他側方に設置せざるを得なくなる場合もある。この場合には、外部機器用の外部配管を貯湯タンクユニットの前方を通して外部機器とは反対側まで迂回させることが必要になり、外部配管の長さが過度に長くなってしまう。尚、外装ケーシングの横方向一側面に外部機器用接続口を設けた貯湯タンクユニットと、外装ケーシングの横方向他側面に外部機器用接続口を設けた貯湯タンクユニットとを製造し、外部機器の設置位置に応じた貯湯タンクユニットを選択することも考えられるが、これでは製造コストが大幅に増加してしまい、実用的ではない。
【先行技術文献】
【特許文献】
【０００５】
【特許文献１】特開２００２−２２１３６６号公報（図６（ｂ）（ｃ））
【発明の概要】
【発明が解決しようとする課題】
【０００６】
本発明は、以上の点に鑑み、外部機器が貯湯タンクユニットの横方向何れの側に設置されても、外部機器との間の配管長さを短縮できるようにした貯湯タンクユニットを提供することをその課題としている。
【課題を解決するための手段】
【０００７】
上記課題を解決するために、本発明は、貯湯タンクと、貯湯タンクを収納する直方体形状の外装ケーシングとを備える貯湯タンクユニットであって、外装ケーシングの横方向片側の側面に、外装ケーシングの外部に設置する外部機器に連なる外部配管を接続する外部機器用接続口を設けるものにおいて、外装ケーシング内に、外部機器用接続口に連なる接続管が外装ケーシングの横方向一側面から横方向他側面に亘って延在するように配置され、外装ケーシングの横方向一側と他側とに位置する接続管の一端部と他端部とに、外部機器用接続口と、接続管の端部を閉塞する閉止栓とが交換自在に取付けられることを特徴とする。
【０００８】
本発明によれば、外部機器を貯湯タンクユニットの横方向一側方に設置する場合には、外装ケーシングの横方向一側に位置する接続管の一端部に外部機器用接続口を取付けると共に接続管の他端部に閉止栓を取付けることができ、一方、外部機器を貯湯タンクユニットの横方向他側方に設置する場合には、外装ケーシングの横方向他側に位置する接続管の他端部に外部機器用接続口を取付けると共に接続管の一端部に閉止栓を取付けることができる。そのため、外部機器が貯湯タンクユニットの横方向何れの側に設置されても、外部機器用接続口が外部機器の設置方向側の側面に設けられることになり、外部機器との間の配管長さを短縮できる。また、外部機器の設置位置に合わせて専用の貯湯タンクユニットを製造する場合と異なり、貯湯タンクユニットを汎用化できるため、製造コストを低く抑えることができる。
【０００９】
また、本発明において、外部機器用接続口と閉止栓は、外装ケーシングの横方向各側の側面に取付ける側板を取外すことなく、接続管の各端部に取付け自在であることが望ましい。これによれば、施工現場で接続管の各端部に側板を取外すことなく外部機器用接続口と閉止栓とを取付けることができ、施工性が向上する。
【図面の簡単な説明】
【００１０】
【図１】本発明の実施形態の貯湯タンクユニットを具備するハイブリッド型貯湯式給湯暖房装置の構成を示す説明図。
【図２】実施形態の貯湯タンクユニットの分解状態の斜視図。
【図３】図２とは異なる方向から見た実施形態の貯湯タンクユニットの分解状態の斜視図。
【図４】図３のＩＶ−ＩＶ線で切断した拡大断面図。
【発明を実施するための形態】
【００１１】
図１は、本発明の実施形態の貯湯タンクユニット１を具備するハイブリッド型貯湯式給湯暖房装置を示している。貯湯タンクユニット１は、貯湯タンク２と、貯湯タンク２を収納する外装ケーシング３とから成る。また、給湯暖房装置は、タンク水（貯湯タンク２内の水）を加熱する加熱装置４と、補助熱源機５とを備えている。補助熱源機５は、給湯用熱源部５１と暖房用熱源部５２とを有する複合熱源機で構成されており、給湯用熱源部５１により、貯湯タンク２から出湯される温水を補助的に加熱し、暖房用熱源部５２により、暖房回路６に循環させる熱媒体（水や不凍液等）を補助的に加熱するようにしている。
【００１２】
加熱装置４は、冷媒を蒸発器４１からコンプレッサ４２と放熱器４３と膨張弁４４とを介して蒸発器４１に戻すヒートポンプユニットで構成される。蒸発器４１にはファン４１ａが付設されており、冷媒がファン４１ａにより送風される大気の熱を吸熱して蒸発する。蒸発した冷媒はコンプレッサ４２で圧縮されて高温高圧になり、放熱器４３で放熱した後、膨張弁４４で減圧されて蒸発器４１に戻される。また、貯湯タンク２の底部から頂部に加熱装置４の放熱器４３を介してタンク水を循環させるタンク水加熱回路４５を設けている。タンク水加熱回路４５には、加熱装置４側に位置させて、循環ポンプ４５ａが介設されている。そして、循環ポンプ４５ａの作動により、貯湯タンク２の底部から低温のタンク水が放熱器４３に供給され、放熱器４３における冷媒との熱交換でタンク水が加熱されて貯湯タンク２の頂部に戻されるようにしている。
【００１３】
貯湯タンク２は、上下方向に長手の容量が例えば５０Ｌのタンクである。貯湯タンク２の底部には給水路２１が接続され、頂部には出湯路２２が接続されている。給水路２１には、給水用外部配管２１ａからの冷水が減圧弁２１ｂを介して供給される。また、減圧弁２１ｂの下流側の給水路２１の部分から分岐する分岐給水路２１ｃが設けられており、この分岐給水路２１ｃと出湯路２２とを、給湯栓等の給湯端末（図示せず）に連なる給湯路２３の上流端に合流して接続している。そして、貯湯タンク２から出湯路２２を介して出湯される温水と、分岐給水路２１ｃを介して供給される冷水との混合比を湯水混合手段２４により調節し、設定温度の湯が給湯端末に供給されるようにしている。
【００１４】
湯水混合手段２４は、分岐給水路２１ｃの分岐部よりも下流側の給水路２１の部分に介設した第１流量調節弁２４ａと、分岐給水路２１ｃに介設した第２流量調節弁２４ｂとで構成されている。ここで、貯湯タンク２から出湯路２２への出湯量は、給水路２１から貯湯タンク２への給水量に等しい。そのため、貯湯タンク２から出湯路２２を介して出湯される温水の流量を第１流用調節弁２４ａにより調節できる。従って、第１と第２の両流量調節弁２４ａ，２４ｂにより温水と冷水の混合比を自動調節して、設定温度の湯を給湯端末に供給することができる。
【００１５】
また、給湯路２３には、バイパス弁２３ａが介設されると共に、このバイパス弁２３ａと並列に、補助熱源機５の給湯用熱源部５１が接続されている。そして、出湯路２２に出湯される温水の温度が設定温度未満になったときは、バイパス弁２３ａを閉弁して、給湯用熱源部５１を作動させ、この熱源部５１により水を設定温度に加熱するようにしている。更に、分岐給水路２１ｃと給湯路２３とを第２流量調節弁２４ｂと並列に接続するバイパス路２３ｂを設け、このバイパス路２３ｂに、貯湯タンク２から出湯される湯温が高すぎるときに開く熱湯防止弁２３ｃを介設している。
【００１６】
また、貯湯タンク２内に気泡が貯まって圧力が過度に上昇することを防止するために、貯湯タンク２の頂部には、圧力が所定値以上になったときに開弁する圧力逃がし弁２５が接続されている。
【００１７】
暖房回路６は、暖房熱源部５２で加熱された熱媒体を暖房端末（図示せず）に送る暖房往き管路６１と、暖房端末を通過した熱媒体を戻す暖房戻り管路６２とで構成されている。そして、暖房戻り管路６２に液々熱交換器６３を介設すると共に、貯湯タンク２の上部の高温のタンク水を液々熱交換器６３と循環ポンプ６４ａとを介して貯湯タンク２の底部に戻す熱媒体加熱回路６４を設け、暖房端末から戻された低温の熱媒体を液々熱交換器６３において高温のタンク水により加熱するようにしている。また、暖房戻り管路６２に液々熱交換器６３と並列にバイパス弁６５を介設し、熱媒体の循環量が所定量以上になったときにバイパス弁６５を開いて、液々熱交換器６３での圧力損失の低減を図るようにしている。
【００１８】
図２、図３を参照して、外装ケーシング３は、底板３１と、底板３１上に設けたフレーム枠３２と、フレーム枠３２にこれを覆うようにして取付けられる、前板３３、後板３４、左右の側板３５Ｌ，３５Ｒ及び天板３６とで構成されている。フレーム枠３２は、底板３１の前後左右の四隅に立設した４本の縦フレーム３２ａと、左右各側の前後の縦フレーム３２ａ，３２ａの上下方向中間部間と下部間に取り付けた上下一対の補強板３２ｂ，３２ｃとで構成されている。
【００１９】
外装ケーシング３の横方向片側の側面には、外部機器たる補助熱源機５の給湯用熱源部５１の流入側外部配管５１ａと流出側外部配管５１ｂとを夫々バイパス弁２３ａの上流側の給湯路２３の部分から分岐した給湯分岐管２３ｅとバイパス弁２３ａの下流側の給湯路２３の部分を構成する給湯管２３ｆとに接続する給湯熱源部５１用の往き接続口３７１及び戻り接続口３７２と、外装ケーシング３内の液々熱交換器６３の下流側配管６３ａと上流側配管６３ｂとに夫々暖房戻り管路６２の下流側外部配管６２ａと上流側外部配管６２ｂとを接続する暖房熱源部５２用の往き接続口３７３及び戻り接続口３７４と、が設けられている。
【００２０】
また、底板３１には、外装ケーシング３の内部の給水路２１に給水用外部配管２１ａを接続する給水接続口３７５と、外装ケーシング３の内部の給湯路２３に外装ケーシング３の外部の給湯路２３となる給湯用外部配管２３ｄを接続する給湯接続口３７６と、外装ケーシング３の内部のタンク水加熱回路４５の上流部と下流部とに夫々加熱装置４の流入側外部配管４５ｂと流出側外部配管４５ｃとを接続する加熱装置４用の往き接続口３７７及び戻り接続口３７８と、が設けられている。
【００２１】
ところで、補助熱源機５は、設置現場の状況に応じて、貯湯タンクユニット１の横方向一側方に設置されたり、横方向他側方に設置されたりする。ここで、給湯熱源部５１用の往き接続口３７１及び戻り接続口３７２と、暖房熱源部５２用の往き接続口３７３及び戻り接続口３７４とが外装ケーシング３の横方向一側面、例えば、左側面に設けられている場合、補助熱源機５が貯湯タンクユニット１の左方に設置されたときには、補助熱源機５との間の外部配管５１ａ，５１ｂ，６２ａ，６２ｂの長さを短縮できるが、貯湯タンクユニット１の右方に補助熱源機５が設置されたときには、外部配管５１ａ，５１ｂ，６２ａ，６２ｂの長さが過度に長くなってしまう。そこで、本実施形態では、給湯熱源部５１用の往き接続口３７１及び戻り接続口３７２と、暖房熱源部５２用の往き接続口３７３及び戻り接続口３７４の設置面を補助熱源機５の設置位置に合わせて変更できるようにしている。以下、この点について詳述する。
【００２２】
本実施形態では、給湯熱源部５１用の往き接続口３７１に連なる第１接続管３８１と、給湯熱源部５１用の戻り接続口３７２に連なる第２接続管３８２と、暖房熱源部５２用の往き接続口３７３に連なる第３接続管３８３と、暖房熱源部５２用の戻り接続口３７４に連なる第４接続管３８４とを設け、これら接続管３８１〜３８４を外装ケーシング３内にその横方向一側面から横方向他側面に亘って延在するように配置している。そして、外装ケーシング３の横方向一側と他側とに位置する各接続管３８１〜３８４の一端部と他端部とに、補助熱源機５用の各接続口３７１〜３７４と、各接続管３８１〜３８４の端部を閉塞する各閉止栓３９１〜３９４とを交換自在に取付けている。
【００２３】
図４を参照して、各接続管３８１〜３８４は、管本体３８ａと、外装ケーシング３の横方向両側の各補強板３２ｂ，３２ｃの内面に固定した一対の固定筒３８ｂ，３８ｂとで構成されており、管本体３８ａの両端を両固定筒３８ｂ，３８ｂに嵌合固定している。補助熱源機５用の各接続口３７１〜３７４は、各補強板３２ｂ，３２ｃの外面に締結されるフランジ部３７ａと、フランジ部３７ａから外方にのびる外部配管用の接続筒部３７ｂと、フランジ部３７ａから内方にのび対応する補強板３２ｂ，３２ｃを通して固定筒３８ｂに嵌合する嵌合筒部３７ｃとを有している。また、各閉止栓３９１〜３９４は、各補強板３２ｂ，３２ｃの外面に締結されるフランジ部３９ａと、フランジ部３９ａから内方にのび対応する補強板３２ｂ，３２ｃを通して固定筒３８ｂに嵌合する閉塞部３９ｂとを有している。
【００２４】
尚、図４は第１乃至第４接続管３８１〜３８４の代表例としての第３接続管３８３を示しており、左端の固定筒３８ｂに、液々熱交換器６３の下流側配管６３ａが接続されている。また、図３を参照して、第４接続管３８４の左端の固定筒３８ｂには、液々熱交換器６３の上流側配管６３ｂが接続され、第１接続管３８１の管本体３８ａには、給湯分岐管２３ｅが接続され、第２接続管３８２の管本体３８ａには、給湯管２３ｆが接続されている。
【００２５】
ここで、各接続管３８１〜３８４において、その一端の固定筒３８ｂの大きさと他端の固定筒３８ｂの大きさは同一である。そのため、補助熱源機５用の各接続口３７１〜３７４及び各閉止栓３９１〜３９４を対応する接続管３８１〜３８４の両端の固定筒３８ｂ，３８ｂの何れにも取付けることができる。
【００２６】
また、外装ケーシング３の左右の側板３５Ｌ，３５Ｒには、補助熱源機５用の各接続口３７１〜３７４のフランジ部３７ａ及び各閉止栓３９１〜３９４のフランジ部３９ａを挿通可能な透孔３５ａが形成されている。そのため、補助熱源機５用の各接続口３７１〜３７４及び各閉止栓３９１〜３９４は、各側板３５Ｌ，３５Ｒを取外すことなく、対応する接続管３８１〜３８４の各端部に取付け自在となる。
【００２７】
以上の構成によれば、補助熱源機５を貯湯タンクユニット１の左方に設置する場合には、外装ケーシング３の左側に位置する各接続管３８１〜３８４の左端部に補助熱源機５用の各接続口３７１〜３７４を取付けると共に各接続管３８１〜３８４の右端部に各閉止栓３９１〜３９４を取付けることができ、一方、補助熱源機５を貯湯タンクユニット１の右方に設置する場合には、外装ケーシング３の右側に位置する各接続管３８１〜３８４の右端部に補助熱源機５用の各接続口３７１〜３７４を取付けると共に各接続管３８１〜３８４の左端部に各閉止栓３９１〜３９４を取付けることができる。そのため、補助熱源機５が貯湯タンクユニット１の左右何れの側に設置されても、補助熱源機５用の各接続口３７１〜３７４が補助熱源機５の設置方向側の側面に設けられることになり、補助熱源機５との間の外部配管５１ａ，５１ｂ，６２ａ，６２ｂの長さを短縮できる。
【００２８】
また、補助熱源機５の設置位置に合わせて専用の貯湯タンクユニットを製造する場合と異なり、貯湯タンクユニット１を汎用化できるため、製造コストを低く抑えることができる。更に、施工現場で各接続管３８１〜３８４の各端部に外装ケーシング３の側板３５Ｌ，３５Ｒを取外すことなく補助熱源機５用の各接続口３７１〜３７４と各閉止栓３９１〜３９４とを取付けることができ、施工性が向上する。
【００２９】
以上、本発明の実施形態について図面を参照して説明したが、本発明はこれに限定されない。例えば、上記実施形態は、タンク水を加熱する加熱装置（ヒートポンプユニット）４に加えて補助熱源機５を設けたハイブリッド型貯湯式給湯暖房装置用の貯湯タンクユニット１に本発明を適用したものであるが、補助熱源機５を設けない貯湯式給湯暖房装置用や貯湯式給湯装置用の貯湯タンクユニットにも本発明を適用できる。この場合、外部機器たる加熱装置４用の接続口３７７，３７８を上記実施形態の如く外装ケーシング３の底板３１ではなく、外装ケーシング３の横方向片側の側面に設ける。そして、加熱装置４用の各接続口３７７，３７８に連なる各接続管を外装ケーシング３の横方向一側面から横方向他側面に亘って延在するように配置し、各接続管の一端部と他端部とに、各接続口３７７，３７８と各閉止栓とが交換自在に取付けられるようにする。尚、加熱装置４は、太陽熱集熱器や燃料電池等のヒートポンプユニット以外のものであってもよい。
【符号の説明】
【００３０】
１…貯湯タンクユニット、２…貯湯タンク、３…外装ケーシング、３５Ｌ，３５Ｒ…側板、３７１〜３７４…外部機器用接続口、３８１〜３８４…接続管、３９１〜３９４…閉止栓、５…補助熱源機（外部機器）、５１ａ，５１ｂ，６２ａ，６２ｂ…外部機器に連なる外部配管。
【図１】
2011226740.tif 000003
【図２】
2011226740.tif 000004
【図３】
2011226740.tif 000005
【図４】
2011226740.tif 000006